(57)【要約】【課題】画像読取装置の台数が１台であっても、画像の再度の読み取りが必要であるか否かを示す評価情報を、画像読取装置の操作者へ伝えることができる画像読取装置、通信装置および画像通信システムを提供すること。【解決手段】画像通信システム１によれば、ＰＣ３０からの応答データを受信すると、ＭＦＰ１０は、結果画面をＬＣＤ３５に表示する。よって、ＭＦＰ１０とＰＣ３０とが離れた位置にあることから、ＭＦＰ１０の操作者とＰＣ３０の操作者との会話が困難な場合であっても、ＰＣ３０の操作者が移動することなく、画像の再度の読み取りが必要であるか否かをＭＦＰ１０の操作者へ伝えることができる。また、画像通信システム１に使用されるＭＦＰ１０を複数台用意することなく（ＭＦＰ１０が１台であっても）、画像の再度の読み取りが必要であるか否かを、ＭＦＰ１０の操作者へ伝えることができる。【選択図】図４
2011035580.tif 000002
【特許請求の範囲】
【請求項１】
光源からの照射光が照射対象によって反射された反射光を読み取ることで、前記照射対象の表面に記録された画像に対応する画像データを生成する読取処理を実行する読取生成手段と、その読取生成手段により生成された画像データを、通信可能に構成された通信装置へ送信する送信手段とを備えた画像読取装置において、
前記画像データを受信した前記通信装置が送信する評価情報であり、前記送信手段が送信した画像データの生成元となった前記画像の再度の読み取りが必要であることを示した評価情報を受信する評価情報受信手段と、
その評価情報受信手段により受信された前記評価情報を表示する表示手段とを備えていることを特徴とする画像読取装置。
【請求項２】
前記画像の再度の読み取りが必要であることを示す前記評価情報を前記評価情報受信手段が受信した場合に、前記送信した画像データの生成元となった前記画像の再度の読み取りの実行指示を操作者から受け付ける受付手段を備え、
前記読取生成手段は、前記実行指示が前記受付手段により受け付けられた場合に、前記読取処理を実行し、
前記送信手段は、前記読取生成手段により生成された前記画像データを、前記評価情報を送信した前記通信装置へ送信することを特徴とする請求項１記載の画像読取装置。
【請求項３】
前記画像の再度の読み取りが必要であることを示す前記評価情報を前記評価情報受信手段が受信した場合に、前記評価情報を送信した前記通信装置が送信する識別情報であり、前記通信装置に個別に予め割り当てられている識別情報を取得する取得手段を備え、
前記送信手段は、
前記取得手段により取得された前記識別情報が示す前記通信装置を、前記読取生成手段が生成した画像データの送信先に決定する送信先決定手段と、
その送信先決定手段により決定された前記通信装置へ、前記読取生成手段が生成した画像データを送信する決定送信手段とを備えていることを特徴とする請求項２記載の画像読取装置。
【請求項４】
光源からの照射光が照射対象によって反射された反射光を読み取ることで、前記照射対象の表面に記録された画像に対応する画像データを生成し、その生成された画像データを送信する画像読取装置と通信可能に構成され、その画像読取装置から送信された画像データを受信する画像データ受信手段と、その画像データ受信手段が受信した前記画像データを表示する画像データ表示手段とを備えた通信装置において、
前記画像データ表示手段に表示された前記画像データに対して、その画像データの生成元となった前記画像の再度の読み取りの実行指示を操作者から受け付ける指示受付手段と、
その指示受付手段により前記実行指示が受け付けられた場合に、前記生成元となった画像の前記画像読取装置による再度の読み取りが必要であることを示した評価情報を作成する作成手段と、
その作成手段により作成された評価情報を前記画像読取装置へ送信する評価情報送信手段とを備えていることを特徴とする通信装置。
【請求項５】
前記画像データ受信手段が受信した前記画像データを記憶する記憶手段と、
その記憶手段に記憶された前記画像データを前記画像データ表示手段へ表示する表示制御手段と、
前記評価情報送信手段が送信した前記評価情報を受信した前記画像読取装置から送信された前記画像データを、前記画像データ受信手段が受信した場合には、前記記憶手段に記憶された前記画像データを、前記受信した画像データに変更する変更手段とを備えていることを特徴とする請求項４記載の通信装置。
【請求項６】
前記画像データ受信手段により前記画像データを受信した場合に、前記画像データを送信した前記画像読取装置が送信する特定情報であり、前記画像読取装置に個別に予め割り当てられている特定情報を取得する特定情報取得手段を備え、
前記評価情報送信手段は、
前記特定情報取得手段により取得された前記特定情報が示す前記画像読取装置を、前記作成手段が作成した評価情報の送信先に決定する装置決定手段と、
その装置決定手段により決定された前記画像読取装置へ、前記作成手段が作成した評価情報を送信する決定装置送信手段とを備えていることを特徴とする請求項４または５に記載の通信装置。
【請求項７】
前記画像データ表示手段に前記画像データを表示している状態において、前記操作者からの情報の入力を受け付ける情報入力受付手段と、
その情報入力受付手段により受け付けられた前記情報を、前記画像データ表示手段に表示された前記画像データと共に表示する情報表示手段とを備え、
前記作成手段は、前記情報表示手段に表示された前記情報を含めた前記評価情報を作成するものであることを特徴とする請求項４から６のいずれかに記載の通信装置。
【請求項８】
請求項１から３のいずれかに記載の画像読取装置と、請求項４から７のいずれかに記載の通信装置とを備えていることを特徴とする画像通信システム。
【発明の詳細な説明】
【技術分野】
【０００１】
本発明は画像読取装置、通信装置および画像通信システムに関するものである。
【背景技術】
【０００２】
光源からの照射光が照射対象によって反射された反射光を読み取ることで、照射対象の表面に記録された画像に対応する画像データを生成する装置に関しては、例えば、特開２００９−０３３４５１号公報の画像処理装置が知られている。この画像処理装置では、ユーザＡは、画像（原稿）を複合機４Ａで読み取り、その読み取りによって生成された画像データを複合機４Ａで確認し、その確認した画像データに対して、再度の画像の読み取りが必要であることを示す評価情報（不良頁情報）を複合機４Ａで作成した後、画像記憶装置３Ｂへ送信する。そして、ユーザＢは、画像記憶装置３Ｂに記憶された不良頁情報を複合機４Ｂで確認し、その不良頁情報に示された画像データについて、再度の画像の読み取りを複合機４Ｂで実行する。これにより、複合機４Ｂで実行する再度の画像の読み取り回数を削減している。
【先行技術文献】
【特許文献】
【０００３】
【特許文献１】特開２００９−０３３４５１号公報
【発明の概要】
【発明が解決しようとする課題】
【０００４】
ここで、上述の画像処理装置では、再度の読み取りを実行する複合機４ＢのユーザＢへ評価情報（不良頁情報）を伝えるためには、ユーザＡは、複合機４Ｂとは別の装置である複合機４Ａで、一度画像を読み取り、評価情報を作成しなければならない。よって、上述の画像処理装置では、複合機４Ｂの他に、画像の読み取りを実行可能な複合機４Ａがなければ（複合機４Ｂが１台だけである場合には）、複合機４ＢのユーザＢへ、評価情報（不良頁情報）を伝えることができないという問題点があった。
【０００５】
本発明は、上述した問題点を解決するためになされたものであり、画像読取装置の台数が１台であっても、画像の再度の読み取りが必要であるか否かを示す評価情報を、画像読取装置の操作者へ伝えることができる画像読取装置、通信装置および画像通信システムを提供することを目的としている。
【課題を解決するための手段】
【０００６】
この目的を達成するために請求項１記載の画像読取装置は、光源からの照射光が照射対象によって反射された反射光を読み取ることで、前記照射対象の表面に記録された画像に対応する画像データを生成する読取処理を実行する読取生成手段と、その読取生成手段により生成された画像データを、通信可能に構成された通信装置へ送信する送信手段とを備え、前記画像データを受信した前記通信装置が送信する評価情報であり、前記送信手段が送信した画像データの生成元となった前記画像の再度の読み取りが必要であることを示した評価情報を受信する評価情報受信手段と、その評価情報受信手段により受信された前記評価情報を表示する表示手段とを備えている。
【０００７】
請求項４記載の通信装置は、光源からの照射光が照射対象によって反射された反射光を読み取ることで、前記照射対象の表面に記録された画像に対応する画像データを生成し、その生成された画像データを送信する画像読取装置と通信可能に構成され、その画像読取装置から送信された画像データを受信する画像データ受信手段と、その画像データ受信手段が受信した前記画像データを表示する画像データ表示手段とを備え、前記画像データ表示手段に表示された前記画像データに対して、その画像データの生成元となった前記画像の再度の読み取りの実行指示を操作者から受け付ける指示受付手段と、その指示受付手段により前記実行指示が受け付けられた場合に、前記生成元となった画像の前記画像読取装置による再度の読み取りが必要であることを示した評価情報を作成する作成手段と、その作成手段により作成された評価情報を前記画像読取装置へ送信する評価情報送信手段とを備えている。
【０００８】
請求項８記載の画像通信システムは、請求項１から３のいずれかに記載の画像読取装置と、請求項４から７のいずれかに記載の通信装置とを備えている。
【発明の効果】
【０００９】
請求項１記載の画像読取装置によれば、画像読取装置が少なくとも２台必要な従来の装置とは異なり、台数が１台であっても、画像読取装置は、画像の再度の読み取りが必要であることを示す評価情報を画像読取装置の操作者へ伝えることができるという効果がある。また、画像読取装置と通信装置とが離れた位置にあることから、画像読取装置の操作者と通信装置の操作者との会話が困難な場合であっても、画像の再度の読み取りが必要であることを示す評価情報を、通信装置の操作者が移動することなく、画像読取装置の操作者へ伝えることができるという効果がある。これは、通信装置の操作者が例えば足の不自由な方である場合に特に有効である。
【００１０】
請求項２記載の画像読取装置によれば、請求項１記載の画像読取装置の奏する効果に加え、再度の読み取りが必要であることを示す評価情報を受信した場合に、一律に、画像データを再度通信装置へ送信するのではなく、受付手段によって、画像の再度の読み取りを実行することが受け付けられたときに限り、画像データを再度通信装置へ送信することができる。従って、通信装置へ再度送信する画像データを選定することができるという効果がある。
【００１１】
請求項３記載の画像読取装置によれば、請求項２記載の画像読取装置の奏する効果に加え、通信装置が複数存在する場合であっても、読取生成手段が生成した画像データを、評価情報を送信した通信装置へ誤りなく正確に送信することができるという効果がある。
【００１２】
請求項４記載の通信装置によれば、画像読取装置が少なくとも２台必要な従来の装置とは異なり、画像読取装置の台数が１台であっても、通信装置は、画像の再度の読み取りが必要であるか否かを示す評価情報を画像読取装置の操作者へ伝えることができるという効果がある。また、通信装置と画像読取装置とが離れた位置にあることから、通信装置の操作者と画像読取装置の操作者との会話が困難な場合であっても、画像の再度の読み取りが必要であることを示す評価情報を、通信装置の操作者が移動することなく、画像読取装置の操作者へ伝えることができるという効果がある。
【００１３】
請求項５記載の通信装置によれば、請求項４記載の通信装置の奏する効果に加え、前回受信した画像データが誤って画像データ表示手段に表示されることを防止することができるという効果がある。
【００１４】
請求項６記載の通信装置によれば、請求項４または５に記載の通信装置の奏する効果に加え、画像読取装置が複数存在する場合であっても、作成手段が作成した評価情報を、画像データを送信した画像読取装置へ誤りなく正確に送信することができるという効果がある。
【００１５】
請求項７記載の通信装置によれば、請求項４から６のいずれかに記載の通信装置の奏する効果に加え、再度の読み取りが必要であることを示す情報に加えて、通信装置の操作者が入力した情報を（例えば、画像データに対するコメントや、画像の配置修正の指示等を）、評価情報として画像読取装置へ送信することができるという効果がある。
【００１６】
請求項８記載の画像通信システムによれば、請求項１から３のいずれかに記載の画像読取装置と、請求項４から７のいずれかに記載の通信装置とが発揮する効果を奏することができるという効果がある。
【図面の簡単な説明】
【００１７】
【図１】本発明の一実施形態である画像通信システム１の電気的構成を示したブロック図である。
【図２】スキャン実行処理を示したフローチャートである。
【図３】スキャン結果取得処理を示したフローチャートである。
【図４】スキャン結果確認処理を示したフローチャートである。
【図５】画像データ取得処理を示したフローチャートである。
【図６】スキャン結果応答処理を示したフローチャートである。
【図７】ＭＦＰのＬＣＤおよびＰＣのＬＣＤにおける表示例を示した図である。
【発明を実施するための形態】
【００１８】
以下、本発明の好ましい実施例について、添付図面を参照して説明する。図１は、本発明の一実施形態である画像通信システム１の電気的構成を示したブロック図である。画像通信システム１は、多機能周辺装置（以下、「ＭＦＰ（Ｍｕｌｔｉ  Ｆｕｎｃｔｉｏｎ  Ｐｅｒｉｐｈｅｒａｌ）」と称す）１０およびパーソナルコンピュータ（以下、「ＰＣ」を称す）３０がネットワーク網５０を介して電気的に接続されたシステムである。なお、図１では、ＭＦＰ１０とＰＣ３０とは、共に１台ずつであるが、両方共に複数台である場合であっても、本発明の画像通信システム１を適用することができる。
【００１９】
ＭＦＰ１０は、ファクシミリ機能、プリント機能等を有する多機能装置である。ＭＦＰ１０は、ＣＰＵ１１、ＲＯＭ１２、ＲＡＭ１３、操作キー１４、ＬＣＤ１５、スキャナ１６、プリンタ１７、電話／ＦＡＸ部１８およびネットワークインターフェイス（以下、「ネットワークＩ／Ｆ」と称す）１９の各部を有している。各部１１〜１９は、入出力ポート２０にそれぞれ接続されている。
【００２０】
ＣＰＵ１１は、入出力ポート２０に接続された各部１２〜１９を制御する制御装置である。ＲＯＭ１２は、このＭＦＰ１０で実行される制御プログラム等を格納した書換不能なメモリである。後述するフローチャートに示す処理は、制御プログラムに従ってＣＰＵ１１により実行される。
【００２１】
ＲＡＭ１３は各種のデータを一時的に記憶するためのメモリである。ＲＡＭ１３には、受信メモリ１３ａおよび属性メモリ１３ｂが設けられている。受信メモリ１３ａは、ＰＣ３０から送信された応答データの一部を記憶するメモリである。ここで、応答データは、ＭＦＰ１０から送信した画像データ（スキャナ１６で画像を読み取ることで生成されたデータ）に対するＰＣ３０の操作者による評価を示すデータであり、結果情報、画像データ、テキストデータ、添付画像データおよび画像ＩＤの５つのデータから構成されている。この５つのデータのうち、受信メモリ１３ａには、結果情報、画像データ、テキストデータおよび添付画像データの４つのデータが記憶される。なお、受信メモリ１３ａに記憶されるデータを、以後、「基本データ」と称する。ここで、基本データには含まれない一方で、応答データには含まれる画像ＩＤは、後述する属性メモリ１３ｂに記憶される。
【００２２】
基本データに含まれる結果情報は、画像データの生成元となった画像の再度の読み取りが必要であるか否かを示した情報であり、画像の再度の読み取りが不要な場合に「ＯＫ」となり、画像の再度の読み取りが必要な場合に「ＮＧ」となる情報である。基本データに含まれる画像データは、ＭＦＰ１０から送信された画像データ（ＰＣ３０が受信した画像データ）そのものである。基本データに含まれるテキストデータは、ＰＣ３０の操作者のコメントやメッセージを構成するデータである。基本データに含まれる添付画像データは、テキストデータで示す内容をイラストで補足するために使用されるデータである。
【００２３】
属性メモリ１３ｂは、受信した応答データに含まれる画像ＩＤおよび応答データを送信したＰＣ３０のＩＰアドレスを記憶するメモリである。画像ＩＤは、ＰＣ３０の操作者が評価した画像データを特定するＩＤであり、各画像データに対してＰＣ３０が付与する。以後、属性メモリ１３ｂに記憶されるデータを、「属性データ」と称する。
【００２４】
なお、ＣＰＵ１１は、応答データを受信した場合には、応答データに含まれる基本データを受信メモリ１３ａに記憶すると共に、応答データに含まれる画像ＩＤを属性メモリ１３ｂに記憶する。その際、ＣＰＵ１１は、受信メモリ１３ａに記憶した基本データと、属性メモリ１３ｂに記憶した画像ＩＤとを、互いに対応付け、その対応付けを記録した対応データを、ＲＡＭ１３のワークエリア（図示せず）に記憶する。この対応データを参照することで、ＣＰＵ１１は、基本データがいずれの属性データのものであるかを特定すると共に、属性データがいずれの基本データのものであるかを特定する。
【００２５】
操作キー１４は、ＭＦＰ１０の操作子である。ＬＣＤ１５は、タッチパネル機能を有するＬＣＤパネル（図示せず）を持つ表示装置である。スキャナ１６は、光源（図示せず）からの照射光が照射対象である原稿によって反射された反射光を読み取ることで、原稿の表面に記録された画像に対応する画像データを生成する装置である。
【００２６】
プリンタ１７および電話／ＦＡＸ部１８は、公知の装置であるので、説明を省略する。なお、ネットワークＩ／Ｆ１９は、ネットワーク網５０を介してＰＣ３０と接続され、スキャナ１６により生成された画像データをＰＣ３０へ送信する、或いは、ＰＣ３０から送信された応答データを受信するインターフェイスである。
【００２７】
ＰＣ３０は、ＭＦＰ１０と通信可能に構成された通信装置の一例である。ＰＣ３０は、ＣＰＵ３１、ＲＯＭ３２、ＲＡＭ３３、ハードディスクドライブ（以下、「ＨＤＤ」と称す）３４、ＬＣＤ３５、キーボード３６およびネットワークＩ／Ｆ３７の各部を有している。各部３１〜３７は、入出力ポート３８にそれぞれ接続されている。
【００２８】
ＣＰＵ３１は、入出力ポート３８に接続された各部３２〜３７を制御する制御装置である。ＲＯＭ３２は、このＰＣ３０で実行されるＰＣ制御プログラム等を格納した書換不能なメモリである。後述するフローチャートに示す処理は、ＰＣ制御プログラムに従ってＣＰＵ３１により実行される。
【００２９】
ＲＡＭ３３は各種のデータを一時的に記憶するためのメモリである。ＲＡＭ３３には、サブデータメモリ３３ａが設けられている。サブデータメモリ３３ａは、受信した画像データに対する補助的なデータを記憶するメモリである。サブデータメモリ３３ａには、受信した画像データの保存先を示す保存先アドレス（ＨＤＤ上のアドレス）、画像データと共に受信したコメントデータ、ＰＣ３０で作成した画像ＩＤおよび画像データを送信したＭＦＰ１０のＩＰアドレスの４つのデータが記憶される。なお、以後、サブデータメモリ３３ａに記憶されるデータを、「サブデータ」と称する。
【００３０】
ＨＤＤ３４は各種のデータを記憶する記憶装置である。ＨＤＤ３４には、読取画像記憶領域３４ａが設けられている。読取画像記憶領域３４ａは、ＰＣ３０が受信した画像データを記憶する領域である。ＬＣＤ３５およびキーボード３６は、公知の装置であるので、説明を省略する。なお、ネットワークＩ／Ｆ３７は、ネットワーク網５０を介してＭＦＰ１０と接続され、ＭＦＰ１０から送信された画像データを受信する、或いは、応答データをＭＦＰ１０へ送信するインターフェイスである。
【００３１】
次に、図２〜図４を参照して、ＭＦＰ１０で行われる各種処理について説明する。なお、図２〜図４においては、図７（ａ）〜図７（ｃ）も参照して説明を行う。ここで、図２〜図４は、ＭＦＰ１０のＣＰＵ１１で行われる各種処理を示したフローチャートであり、図７（ａ）〜図７（ｃ）は、ＭＦＰ１０のＬＣＤ１５の表示の一例を示した図である。
【００３２】
まず、図２に示すスキャン実行処理について説明する。図２は、スキャン実行処理を示したフローチャートである。スキャン実行処理は、スキャナ１６に原稿がセットされたことをＭＦＰ１０が検出した場合や、操作キー１４内にあるスキャンボタン（図示せず）が押下された場合や、ＰＣ３０からスキャンの指示が行われた場合に実行される処理である。
【００３３】
スキャン実行処理では、まず、テキスト入力画面Ｇ１およびスキャン開始ボタンＧ２をＬＣＤ１５上に表示する（Ｓ２１）。ここで、図７（ａ）を参照して、Ｓ２１の処理が行われた場合のＬＣＤ１５の表示について説明する。図７（ａ）に示すように、ＬＣＤ１５には、テキスト入力画面Ｇ１およびスキャン開始ボタンＧ２が表示されている。テキスト入力画面Ｇ１は、ＰＣ３０の操作者へ伝えるコメントを、操作キー１４やソフトウェアキー（図示せず）等の入力装置を用いて入力する画面であり、このコメントに対応して作成されたコメントデータが、生成された画像データと共にＰＣ３０へ送信される。スキャン開始ボタンＧ２は、「ＹＥＳ」が画像を読み取るスキャンの実行を指示するボタンであり、「ＮＯ」がスキャンのキャンセルを指示するボタンである。
【００３４】
図２の説明に戻る。Ｓ２１の処理後、スキャン開始ボタンＧ２の操作により、スキャン実行が指示されたか否かが判定される（Ｓ２２）。Ｓ２２の判定が肯定された場合には（Ｓ２２：Ｙｅｓ）、Ｓ２３の処理へ移行する。一方、Ｓ２２の判定が否定された場合には（Ｓ２２：Ｎｏ）、スキャン実行が指示されるまで、Ｓ２２の処理を繰返し実行する。なお、キャンセルが指示された場合には、このスキャン実行処理を終了する。
【００３５】
Ｓ２３の処理では、原稿の表面に記録された画像を読み取ることで、その画像に対応した画像データを生成するスキャン処理を実行する（Ｓ２３）。その後、生成した画像データとテキスト入力画面Ｇ１（図７（ａ）参照）に入力されたコメントデータとを対応付けて、スキャンデータとする。そして、スキャンデータをＰＣ３０へ送信する（Ｓ２４）。なお、Ｓ２４の処理が、スキャン実行処理開始後、初めて行われる場合には、Ｓ２４の処理では、スキャンデータの送信前に、スキャンデータの送付開始を示すコマンドを送信する。更に、このスキャンデータの送付開始を示すコマンドに含めて、スキャンデータ送信回数を示す情報も送信する（２回目以降は、コマンドや情報の送信を行わない）。このスキャンデータ送信回数を示す情報は、ＭＦＰ１０の操作者により予めＭＦＰ１０に設定されたスキャン回数（スキャン処理を行う原稿の枚数）によって生成している。
【００３６】
Ｓ２４の処理後、全ての画像に対するスキャン処理が完了したか否かを判定し（Ｓ２５）、完了していない場合には（Ｓ２５：Ｎｏ）、Ｓ２３の処理へ戻る。一方、完了している場合には（Ｓ２５：Ｙｅｓ）、スキャン実行処理を終了する。なお、Ｓ２５の判定は、ＭＦＰ１０の操作者により予めＭＦＰ１０に設定された回数のスキャンを行ったか否かで、或いは、スキャナ１６に原稿がセットされていない状態になったか否かで、判定することができる。また、Ｓ２５の判定が肯定された場合には（Ｓ２５：Ｙｅｓ）、スキャンデータ送信終了を示すコマンドを、ＰＣ３０へ送信する。
【００３７】
なお、Ｓ２４の処理の実行タイミングを、Ｓ２５の処理の後で且つ、スキャンデータ送信終了を示すコマンドの送信前としても良い。この構成の場合には、Ｓ２４の処理では、Ｓ２５の判定でＹｅｓとなるまでに、Ｓ２３の処理で生成した画像データを含むスキャンデータを、原稿を読み取った順に（画像を読み取った順に）送信する。また、上述の構成の場合には、Ｓ２３の処理を実行する都度、実行回数をカウントし、そのカウントした回数を、スキャンデータ送信回数として用いても良い。Ｓ２３の実行回数をカウントする構成によれば、ＭＦＰ１０の操作者によるスキャン回数の設定を不要にすることができる。
【００３８】
次に、図３に示すスキャン結果取得処理について説明する。図３は、スキャン結果取得処理を示したフローチャートである。スキャン結果取得処理は、応答データの送信開始を示すコマンドを、ＰＣ３０から受信する度に実行される処理である。なお、このスキャン結果取得処理は、応答データに含まれる基本データを受信メモリ１３ａに記憶すると共に、応答データに含まれる画像ＩＤと応答データを送信したＰＣ３０のＩＰアドレスとを属性メモリ１３ｂに記憶する処理である。
【００３９】
スキャン結果取得処理では、まず、ＰＣ３０からの応答データを受信する（Ｓ３１）。そして、応答データを送信したＰＣ３０のＩＰアドレスを、ＰＣ３０に送信させて取得する（Ｓ３２）。その後、受信した応答データに含まれる画像ＩＤと同一の画像ＩＤが属性メモリ１３ｂに既に記憶されているか否かを判定する（Ｓ３３）。
【００４０】
Ｓ３３の判定が肯定された場合には（Ｓ３３：Ｙｅｓ）、この画像ＩＤを含む応答データが以前に受信され、その応答データに含まれる基本データが既に受信メモリ１３ａに記憶されている。よって、今回受信した応答データに含まれる基本データを古い基本データに上書きすべく、まず、今回受信された応答データに含まれる画像ＩＤと同一の画像ＩＤに対応する基本データを、受信メモリ１３ａから削除する（Ｓ３４）。そして、取得した応答データに含まれる基本データを受信メモリ１３ａに記憶する（Ｓ３５）。一方、Ｓ３３の判定が否定された場合には（Ｓ３３：Ｎｏ）、この画像ＩＤを含む応答データは初めて受信されたことを示しているので、Ｓ３４の処理をスキップして、Ｓ３５の処理を実行する。
【００４１】
Ｓ３５の処理後、Ｓ３２の処理で取得したＰＣ３０のＩＰアドレスおよびＳ３１の処理で受信した応答データに含まれる画像ＩＤを、属性メモリ１３ｂに記憶する（Ｓ３６）。そして、このスキャン結果取得処理を終了する。なお、Ｓ３６の処理では、Ｓ３３の判定が肯定された場合には（Ｓ３３：Ｙｅｓ）、ＰＣ３０のＩＰアドレスおよび画像ＩＤを、今回受信された応答データに含まれる画像ＩＤと同一の画像ＩＤを含む古い属性データに、上書きする。
【００４２】
次に、図４に示すスキャン結果確認処理について説明する。図４は、スキャン結果確認処理を示したフローチャートである。スキャン結果確認処理は、操作キー１４内にある確認ボタン（図示せず）が押下された場合、またはスキャン結果取得処理で応答データを受信する都度、或いは、画像データへの回答が終了したことを示すＰＣ３０からのコマンドをスキャン結果取得処理で受信した場合に実行される処理である。
【００４３】
スキャン結果確認処理では、まず、受信メモリ１３ａに基本データが記憶されているか否かが判定される（Ｓ４１）。Ｓ４１の判定が否定される場合には（Ｓ４１：Ｎｏ）、受信メモリ１３ａに基本データが記憶されておらず、結果の表示ができないので、このスキャン確認処理を終了する。一方、Ｓ４１の判定が肯定される場合には（Ｓ４１：Ｙｅｓ）、受信メモリ１３ａから画像データの全てを取得し、その一覧をＬＣＤ１５に表示すると共に、ＰＣ３０の操作者からの結果を表示したい画像データを１つ選択するよう、ＭＦＰ１０の操作者に促す（Ｓ４２）。
【００４４】
次に、ＬＣＤ１５に表示された画像データの一覧から画像データが選択されたか否かを判定する（Ｓ４３）。Ｓ４３の判定が否定される場合には（Ｓ４３：Ｎｏ）、画像データが選択されるまで、Ｓ４３の判定を繰返し行う。一方、Ｓ４３の判定が肯定される場合には（Ｓ４３：Ｙｅｓ）、選択された画像データを含む基本データを受信メモリ１３ａから取得し、その取得した基本データに含まれる結果情報が、画像の再度の読み取りが不要であることを示す「ＯＫ」であるか否かを判定する（Ｓ４４）。
【００４５】
Ｓ４４の判定が肯定される場合には（Ｓ４４：Ｙｅｓ）、取得した基本データを使用して、ＬＣＤ１５に「ＯＫ」を示す結果画面を表示する（Ｓ４５）。ここで、図７（ｂ）を参照して、Ｓ４５の処理が行われた場合のＬＣＤ１５の表示について説明する。図７（ｂ）に示すように、ＬＣＤ１５には、結果情報表示画面Ｇ３、画像データ表示画面Ｇ４、テキストデータ表示画面Ｇ５、添付画像データ表示画面Ｇ６および閉じるボタンＧ７が表示されている。結果情報表示画面Ｇ３は、Ｓ４４で取得した基本データに含まれる結果情報を表示する画面であり、「ＯＫ！」の文字が表示されている。画像データ表示画面Ｇ４は、Ｓ４４で取得した基本データに含まれる画像データを表示する画面であり、ＭＦＰ１０がＰＣ３０へ送信した画像データ、即ち、「ＯＫ」と評価された画像データそのものが表示されている。テキストデータ表示画面Ｇ５は、Ｓ４４で取得した基本データに含まれるテキストデータを表示する画面であり、ＰＣ３０の操作者のコメントである「ありがとうございました」の文字が表示される。添付画像データ表示画面Ｇ６は、Ｓ４４で取得した基本データに含まれる添付画像データを表示する画面である。なお、図７（ｂ）においては、受信した応答データに添付画像データがなかった状態を示しているので、添付画像データ表示画面Ｇ６には、何らのデータも表示されていない。閉じるボタンＧ７は、結果画面の表示を終了して、Ｓ４６の処理へ移行するボタンである。
【００４６】
ここで、Ｓ４５の結果画面では、画像の再度の読み取りは不要であることが示されたので、その表示が終了すると、選択された画像データに対応する基本データおよび属性データは不要となる。よって、選択した画像データに対応する基本データを受信メモリ１３ａから削除し（Ｓ４６）、選択した画像データに対応する属性データを属性メモリ１３ｂから削除する（Ｓ４７）。Ｓ４７の処理終了後、このスキャン結果確認処理を終了する。
【００４７】
一方、Ｓ４４の判定が否定される場合には（Ｓ４４：Ｎｏ）、取得した基本データを使用して、画像データの生成元となった画像の再度の読み取りが必要であることを示す「ＮＧ」に対応する結果画面を表示する（Ｓ４８）。ここで、図７（ｃ）を参照して、Ｓ４８の処理が行われた場合のＬＣＤ１５の表示について説明する。Ｓ４８の処理が実行された場合には、図７（ｃ）に示すように、結果情報表示画面Ｇ３に「ＮＧ！」の文字が表示される。また、画像データ表示画面Ｇ４には、ＭＦＰ１０がＰＣ３０へ送信した画像データ、即ち、「ＮＧ」と評価された画像データそのものが表示されている。テキストデータ表示画面Ｇ５には、ＰＣ３０の操作者からのコメントである「下図のように、向きを直してください」の文字が表示される。また、添付画像データ表示画面Ｇ６には、テキストデータで示す内容を補足するためのイラストが表示される。そして、再スキャン実行ボタンＧ８が表示される。再スキャン実行ボタンＧ８は、画像の再度の読み取りの実行を指示する「ＹＥＳ」ボタン、および画像の再度の読み取りを行わないことを指示する「ＮＯ」ボタンから構成されている。「ＹＥＳ」ボタンまたは「ＮＯ」ボタンのいずれかが押下されると、Ｓ４８による結果画面の表示を終了して、Ｓ４９の処理へ移行する。
【００４８】
Ｓ４９の処理では、再スキャンの実行を受け付ける（Ｓ４９）。具体的には、Ｓ４９の処理では、Ｓ４８の処理で押下されたボタンは、「ＹＥＳ」ボタンであるか否かを判定する。Ｓ４９の判定が肯定される場合には（Ｓ４９：Ｙｅｓ）、Ｓ２３の処理と同一の処理、即ち、再スキャンが指示された画像データに対応する画像を読み取り、画像データを生成する（Ｓ５０）。その後、Ｓ４８の処理で再スキャンの実行が指示された画像データに対応する属性データを属性メモリ１３ｂから取得する（Ｓ５１）。画像データに対応する属性データの特定は、ＲＡＭ１３のワークエリアに記憶された対応データを用いて行われる。Ｓ５１の処理後、取得した属性データに含まれるＩＰアドレスを有するＰＣ３０へ、その属性データに含まれる画像ＩＤとスキャンデータ（再度生成された画像データおよびコメントデータ）とを送信する（Ｓ５２）。その後、Ｓ５３の処理へ移行する。なお、Ｓ５２の処理では、Ｓ２４の処理と同様、スキャンデータの送信前に、スキャンデータの送付開始を示すコマンドを送信する（スキャンデータ送信回数を示す情報は含まれない。また、２回目以降は、コマンドの送信を行わない）。一方、Ｓ４９の判定が否定される場合には（Ｓ４９：Ｎｏ）、Ｓ４６およびＳ４７の処理を実行して、Ｓ５３の処理へ移行する。
【００４９】
ここで、Ｓ５０のスキャン処理を実行するのは、画像データの結果情報が「ＮＧ」を示し、且つ、再スキャンの実行が指示された場合に限られている（図４のＳ４９の処理参照）。よって、画像データの結果情報が「ＮＧ」である場合に、一律に、再スキャン処理を行い、画像データを再度ＰＣ３０へ送信するのではなく、再スキャンの実行が指示されたときに限り、再スキャン処理を行い、画像データを再度ＰＣ３０へ送信する。従って、ＰＣ３０へ再度送信する画像データをＭＦＰ１０で選定することができる。
【００５０】
Ｓ５３の処理では、Ｓ４３で選択された画像データと同一グループの全ての画像データに対する結果確認が終了したか否かを判定する（Ｓ５３）。ここで、Ｓ４３で選択された画像データが、例えば５ページが一組となった画像データ（以下、「グループ画像データ」と称する）である場合には、ＰＣ３０から各画像データに個別に付与される画像ＩＤに、同一のグループＩＤが付加されている。よって、Ｓ５３の判定では、Ｓ４３で選択された画像データに対応する画像ＩＤにグループＩＤが付加されている場合には、同一グループＩＤが付加された他の画像データを探し、その画像データの全て（同一グループの画像データの全て）に対する結果確認が終了したか否かを判定する。そして、Ｓ５３の判定が否定される場合には（Ｓ５３：Ｎｏ）、Ｓ４４へ戻り、未だ結果確認が終了していないグループ画像データについて、Ｓ４４以降の処理を行う。一方、Ｓ５３の判定が肯定される場合には（Ｓ５３：Ｙｅｓ）、このスキャン結果確認処理を終了する。なお、Ｓ４３で選択された画像データが単一の画像データである場合には、選択された画像データに対応する画像ＩＤにはグループＩＤが付加されない。よって、Ｓ５３の判定では、常に、肯定判定となる（Ｓ５３：Ｙｅｓ）。また、Ｓ５３の判定が肯定された場合には（Ｓ５３：Ｙｅｓ）、スキャンデータ送信終了を示すコマンドを、ＰＣ３０へ送信する。
【００５１】
なお、Ｓ５２の処理の実行タイミングを、Ｓ５３の処理の後で且つ、スキャンデータ送信終了を示すコマンドの送信前としても良い。この構成の場合には、Ｓ５２の処理では、Ｓ５３の判定でＹｅｓとなるまでに、Ｓ５１の処理で生成した画像データを含むスキャンデータを、原稿を読み取った順に（画像を読み取った順に）送信する。
【００５２】
次に、図５〜図６を参照して、ＰＣ３０で行われる各種処理について説明する。なお、図６においては、図７（ｄ）〜図７（ｅ）も参照して説明を行う。ここで、図５〜図６は、ＰＣ３０のＣＰＵ３１で行われる各種処理を示したフローチャートであり、図７（ｄ）〜図７（ｅ）は、ＰＣ３０のＬＣＤ３５の表示の一例を示した図である。
【００５３】
まず、図５に示す画像データ取得処理について説明する。図５は、画像データ取得処理を示したフローチャートである。画像データ取得処理は、スキャン実行処理（図２参照）、或いは再スキャン処理（図４参照）がＭＦＰ１０で実行され、スキャンデータの送信開始を伝えるＭＦＰ１０からのコマンドを、ＰＣ３０が受信した場合に実行される処理である。
【００５４】
画像データ取得処理では、まず、ＭＦＰ１０から送信されたスキャンデータを受信し（Ｓ６１）、スキャンデータと共に画像ＩＤを受信したか否かを判定する（Ｓ６２）。Ｓ６２の判定が肯定される場合（Ｓ６２：Ｙｅｓ）、スキャンデータの送信は、ＭＦＰ１０での再スキャンの実行によるものであることを示しており、受信した画像ＩＤの示す画像データが、以前に受信され、既に読取画像記憶領域３４ａに記憶されていることを示している。よって、今回受信した画像データを古い画像データに上書きすべく、その準備を行う。具体的には、受信した画像ＩＤと同一の画像ＩＤを含むサブデータをサブデータメモリ３３ａから選出し、その選出したサブデータから、「画像データの保存先アドレス（読取画像記憶領域３４ａのアドレス）」を取得する（Ｓ６３）。そして、取得した「画像データの保存先アドレス」へ、受信したスキャンデータに含まれる画像データを記憶する（Ｓ６４）。このように、受信した画像データを古い画像データに上書きするので、後述するスキャン結果応答処理（図６参照）で、古い画像データが誤ってＬＣＤ３５へ表示されることを防止することができる。
【００５５】
Ｓ６４の処理後、サブデータメモリ３３ａに既に記憶されているサブデータを更新すべく、Ｓ６５〜Ｓ６７の処理を行う。具体的には、受信した画像ＩＤと同一の画像ＩＤを含むサブデータをサブデータメモリ３３ａから削除する（Ｓ６５）。そして、スキャンデータを送信したＭＦＰ１０のＩＰアドレスをＭＦＰ１０に送信させて取得し（Ｓ６６）、そのＭＦＰ１０のＩＰアドレスと、Ｓ６３で取得した「画像データの保存先アドレス」と、Ｓ６１の処理で受信したスキャンデータに含まれるコメントデータと、Ｓ６１の処理で受信した画像ＩＤとを対応付け、サブデータとして、サブデータメモリ３３ａに記憶する（Ｓ６７）。
【００５６】
一方、Ｓ６２の判定が否定される場合（Ｓ６２：Ｎｏ）、スキャンデータの送信は、ＭＦＰ１０のスキャン実行処理の実行によるものであることを示しており、この画像データが、初めて受信されたことを示している。即ち、この画像データには、未だ、画像ＩＤが付与されていないことを示している。よって、受信したスキャンデータに含まれる画像データを読取画像記憶領域３４ａに記憶した後（Ｓ６８）、その記憶した画像データに画像ＩＤを付与する（Ｓ６９）。その後、Ｓ６６およびＳ６７の処理を実行する。
【００５７】
ここで、画像データ取得処理の実行開始前に受信したコマンドに含まれるスキャンデータの送信回数が、複数回であった場合には、Ｓ６９の処理で、ＭＦＰ１０から送信されるスキャンデータに含まれる画像データはグループ画像データであると判定する。よって、この場合には、画像データに付与する画像ＩＤに、同一のグループＩＤを付加する。一方、受信したコマンドに含まれるスキャンデータの送信回数が、１回であった場合には、画像ＩＤへのグループＩＤの付加は行われない。
【００５８】
なお、Ｓ６２の判定が否定された場合（Ｓ６２：Ｎｏ）、Ｓ６７の処理では、Ｓ６６の処理で取得したＭＦＰ１０のＩＰアドレスと、Ｓ６８で画像データを記憶した「画像データの保存先アドレス」と、Ｓ６１の処理で受信したスキャンデータに含まれるコメントデータと、Ｓ６９の処理で付与した画像ＩＤとを対応付け、サブデータとして、サブデータメモリ３３ａに記憶している（Ｓ６７）。
【００５９】
その後、全てのスキャンデータを受信したか否かが判定される（Ｓ７０）。Ｓ７０では、スキャンデータ送信終了を示すコマンドがネットワークＩ／Ｆ３７を介して受信されている場合、または、画像データ取得処理の実行前に受信したコマンドに含まれるスキャンデータの送信回数分、スキャンデータが受信された場合には、肯定の判定となる（Ｓ７０：Ｙｅｓ）。この場合には、この画像データ取得処理を終了する。一方、スキャンデータ送信終了を示すコマンドが含まれていない場合には、Ｓ７０の判定が否定され（Ｓ７０：Ｎｏ）、Ｓ６１の処理へ戻る。
【００６０】
次に、図６に示すスキャン結果応答処理について説明する。図６は、スキャン結果応答処理を示したフローチャートである。スキャン結果応答処理は、キーボード３６の操作により、ＰＣ３０の操作者からスキャン結果応答処理を実行する指示が行われた場合、または、画像データ取得処理でスキャンデータが受信される都度、或いは、スキャンデータ送信終了を示すコマンドを受信した場合に実行される処理である。
【００６１】
スキャン結果応答処理では、まず、サブデータメモリ３３ａにサブデータが記憶されているか否かを判定する（Ｓ７１）。Ｓ７１の判定が否定される場合（Ｓ７１：Ｎｏ）、読取画像記憶領域３４ａには何らの画像データも記憶されていないので、このスキャン結果応答処理を終了する。一方、Ｓ７１の判定が肯定される場合（Ｓ７１：Ｙｅｓ）、サブデータメモリ３３ａに記憶されたサブデータの全てから、「画像データの保存先アドレス」を取得する（Ｓ７２）。そして、取得した「画像データの保存先アドレス」の全てから、画像データを取得し、画像データの一覧をＬＣＤ３５へ表示する（Ｓ７３）。なお、Ｓ７３の処理では、応答データを作成する画像データを１つ選択するように、ＰＣ３０の操作者に促すメッセージも、ＬＣＤ３５へ表示する。
【００６２】
その後、画像データが選択されたか否かを判定する（Ｓ７４）。Ｓ７４の判定が否定される場合には（Ｓ７４：Ｎｏ）、Ｓ７４の判定を繰返し実行する。一方、Ｓ７４の判定が肯定される場合（Ｓ７４：Ｙｅｓ）、Ｓ７５の処理へ移行する。Ｓ７５の処理では、選択された画像データに対応するコメントデータをサブデータメモリ３３ａから取得し、その取得したコメントデータと選択された画像データとを用いて、ダイアログ画面をＬＣＤ３５に表示する（Ｓ７５）。
【００６３】
ここで、図７（ｄ）を参照して、ダイアログ画面について説明する。ダイアログ画面は、受信画像データ表示画面Ｐ１、受信コメントデータ表示画面Ｐ２、結果入力ボタンＰ３、テキストデータ入力画面Ｐ４、添付画像データ入力画面Ｐ５および回答ボタンＰ６から構成される。受信画像データ表示画面Ｐ１は、Ｓ７４の処理で選択された画像データ（ＭＦＰ１０から受信した画像データ）を表示する画面であり、受信コメントデータ表示画面Ｐ２は、サブデータメモリ３３ａから取得したコメントデータ（ＭＦＰ１０から受信したコメントデータ）を表示する画面である。また、結果入力ボタンＰ３は、受信画像データ表示画面Ｐ１に表示された画像データに対し、その画像データの生成元となった画像の再度の読み取りが必要であるか否かを入力するラジオボタンである。このラジオボタンが選択されると、その選択状況に応じて、画像の再度の読み取りが必要であるか否かを示す結果情報が生成される。テキストデータ入力画面Ｐ４は、ＭＦＰ１０の操作者へ伝えるメッセージを入力する画面であり、添付画像データ入力画面Ｐ５は、テキストデータで示すメッセージを補足するために使用される添付画像データを入力する画面である。そして、回答ボタンＰ６は、応答データをＭＦＰ１０へ送信する指示を行うボタンである。このダイアログ画面のうち、Ｐ１に表示された画像データおよびＰ３〜Ｐ５に入力された各データを用いて、ＰＣ３０は、ＭＦＰ１０へ送信する応答データを作成する。
【００６４】
図６の説明に戻る。Ｓ７５の処理後、回答ボタンＰ６が押下されたか否かが判定される（Ｓ７６）。Ｓ７６の判定が否定される場合には（Ｓ７６：Ｎｏ）、Ｓ７６の判定を繰返し実行する。一方、Ｓ７６の判定が肯定される場合には（Ｓ７６：Ｙｅｓ）、Ｓ７４の処理で選択された画像データの送信を行ったＭＦＰ１０のＩＰアドレスと画像ＩＤとを、サブデータメモリ３３ａから取得する（Ｓ７７）。
【００６５】
その後、結果入力ボタンＰ３で、画像データの生成元となった画像の再度の読み取りが不要であることを示す「ＯＫ」のラジオボタンが選択されたか否かを判定する（Ｓ７８）。ここで、図７（ｄ）を参照して、結果入力ボタンＰ３で「ＯＫ」のラジオボタンが選択された場合（Ｓ７８：Ｙｅｓ）について説明すると共に、図７（ｅ）を参照して、結果入力ボタンＰ３で「ＮＧ」のラジオボタンが選択された場合（Ｓ７８：Ｎｏ）について説明する。なお、結果入力ボタンＰ３の「ＮＧ」のラジオボタンは、画像データの生成元となった画像の再度の読み取りが必要であることを示している。
【００６６】
図７（ｄ）に示すように、結果入力ボタンＰ３で「ＯＫ」のラジオボタンが選択された場合には（Ｓ７８：Ｙｅｓ）、画像の再度の読み取りが不要であるので、テキストデータ入力画面Ｐ４に、「ありがとうございました」の文字が入力され、画像データ入力画面Ｐ５には、添付画像データが未入力の状態となっている。一方、図７（ｅ）に示すように、結果入力ボタンＰ３で「ＮＧ」のラジオボタンが選択された場合には（Ｓ７８：Ｎｏ）、画像の再度の読み取りが必要であるので、テキストデータ入力画面Ｐ４に、「下図のように、向きを直してください」の文字が入力され、画像データ入力画面Ｐ５には、テキストデータで示す内容を補足するための添付画像データが入力されている。
【００６７】
図６の説明に戻る。Ｓ７８の判定が肯定された場合には（Ｓ７８：Ｙｅｓ）、Ｓ７４の処理で選択された画像データの応答データを、Ｓ８０の処理でＭＦＰ１０へ返信した後は、再度、応答データをＭＦＰ１０へ送る必要がない。即ち、Ｓ７４の処理で選択された画像データに対応するサブデータが今後不要となる。よって、Ｓ７４の処理で選択された画像データに対応するサブデータを、サブデータメモリ３３ａから削除する（Ｓ７９）。その後、Ｐ１に表示された画像データ、「Ｙｅｓ」のラジオボタンの選択により生成された結果情報、Ｐ４で入力されたテキストデータ（図７（ｄ）参照）とＳ７７で取得した画像ＩＤとを一纏めにして、これを応答データとして、Ｓ７７で取得したＩＰアドレスの示すＭＦＰ１０へ送信する（Ｓ８０）。この応答データをＭＦＰ１０が受信すると、ＬＣＤ１５では、図７（ｂ）に示す結果画面が表示される。なお、Ｓ８０の処理では、応答データの送信前に、応答データの送信開始を示すコマンドを毎回、ＭＦＰ１へ送信している。
【００６８】
一方、Ｓ７８の判定が否定された場合には（Ｓ７８：Ｎｏ）、サブデータを削除するＳ７９の処理をスキップして、Ｓ８０の処理へ移行する。ここで、Ｓ７９の処理をスキップするのは、Ｓ７８の判定が肯定されるまで、Ｓ７４の処理で選択された画像データに対応するサブデータを繰返し使用するからである。Ｓ８０の処理では、Ｐ１に表示された画像データ、「Ｎｏ」のラジオボタンの選択により生成された結果情報、Ｐ４で入力されたテキストデータ、Ｐ５で入力された添付画像データ（図７（ｅ）参照）とＳ７７で取得した画像ＩＤとを一纏めにして、これを応答データとして、Ｓ７７で取得したＩＰアドレスの示すＭＦＰ１０へ送信する（Ｓ８０）。この応答データをＭＦＰ１０が受信すると、ＬＣＤ１５では、図７（ｃ）に示す結果画面が表示される。
【００６９】
このように、ＭＦＰ１０へ送信する応答データには、画像データに対するコメントであるテキストデータや、画像の配置修正指示を示す添付画像データを含めることができる。よって、再度の読み取りが必要であるか否かを示す結果情報に加え、画像の再度の読み取り時における注意点等を、ＭＦＰ１０へ送信することができる。
【００７０】
Ｓ８０の処理後、Ｓ７４で選択された画像データと同一グループの全ての画像データに対する回答が終了したか否かを判定する（Ｓ８１）。具体的には、Ｓ７４で選択された画像データに対応する画像ＩＤにグループＩＤが付加されている場合には、そのグループＩＤと同一のグループＩＤが付加された他の画像データを探し、その画像データの全て（グループ画像データの全て）に対する回答が終了したか否かを判定する。Ｓ８１の判定が否定される場合には（Ｓ８１：Ｎｏ）、Ｓ７５へ戻り、未だ回答が行われていないグループ画像データに対応するダイアログ画面を表示する（Ｓ７５）。一方、Ｓ８１の判定が肯定される場合には（Ｓ８１：Ｙｅｓ）、画像データへの回答が終了したことを示すコマンドをＭＦＰ１０へ送信し、このスキャン結果応答処理を終了する。なお、Ｓ７４で選択された画像データが単一の画像データである場合には、その選択された画像データに対応する画像ＩＤにグループＩＤは付加されていないので、Ｓ８１の判定では、常に、肯定判定となる（Ｓ８１：Ｙｅｓ）。
【００７１】
以上の通り、本発明の実施形態における画像通信システム１によれば、ＭＦＰ１０は、生成した画像データを含むスキャンデータをＰＣ３０へ送信する。このスキャンデータを受信すると、ＰＣ３０では、そのスキャンデータに含まれた画像データに対する評価を示す応答データが生成可能となる。そして、応答データが生成されると、ＰＣ３０は、それを、ＭＦＰ１０へ送信する。この応答データを受信すると、ＭＦＰ１０は、応答データを使用して、図７（ｂ）或いは図７（ｃ）に示す結果画面をＬＣＤ３５に表示する。即ち、ＭＦＰ１０は、画像データの生成元となった画像の再度の読み取りが必要であるか否かを、ＬＣＤ３５に表示する。よって、ＭＦＰ１０とＰＣ３０とが離れた位置にあることから、ＭＦＰ１０の操作者とＰＣ３０の操作者との会話が困難な場合であっても、画像の再度の読み取りが必要であるか否かを、ＰＣ３０の操作者が移動することなく、ＭＦＰ１０の操作者へ伝えることができる。これは、ＰＣ３０の操作者が例えば足の不自由な方である場合に特に有効である。また、画像通信システム１に使用されるＭＦＰ１０を複数台用意することなく（ＭＦＰ１０が１台であっても）、画像の再度の読み取りが必要であるか否かを、ＭＦＰ１０の操作者へ伝えることができる。
【００７２】
また、画像通信システム１のＰＣ３０によれば、グループ画像データの場合には、画像ＩＤに同一のグループＩＤを付加するので、グループ画像データ内の各々の画像データに対する応答データを、連続して作成することができる。よって、応答データの作成を効率的に行うことができる。また、画像通信システム１のＭＦＰ１０によれば、グループ画像データの場合には、画像ＩＤに同一のグループＩＤが付加されているので、グループ画像データ内の画像データに対する結果情報を、連続して確認することができる。よって、結果情報の確認を効率的に行うことができる。
【００７３】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００７４】
例えば、スキャン結果応答処理では、「ＯＫ」、「ＮＧ」の結果情報をＰＣ３０からＭＦＰ１０へ送信し、両方の情報をＭＦＰ１０で用いているが、「ＮＧ」の結果情報だけを、ＰＣ３０が送信し、ＭＦＰ１０が利用する構成としても良い。この構成の場合には、グループＩＤを不要とすることができる。結果、画像通信システム１から、「ＯＫ」の結果情報および「グループＩＤ」を使用していた構成を削減することができる。
【００７５】
また、ＬＣＤ１５に表示される結果画面に加え、或いは、結果画面に代えて、ＭＦＰ１は、応答データに含まれる結果情報が「ＯＫ」であれば、第１メロディを放音し、応答データに含まれる結果情報が「ＮＧ」であれば、第２メロディを放音しても良い。この構成の場合でも、再度の読み取りが必要であるか否かを、ＰＣ３０の操作者が移動することなく、ＭＦＰ１０の操作者へ伝えることができる。
【００７６】
また、ＭＦＰ１０に、ＭＦＰ１０と内線で通信可能な子機が存在する場合には、次の構成としても良い、即ち、ＰＣ３０付近に子機を設置する。そして、ＰＣ３０は、その子機の内線番号を、「ＮＧ」の結果情報を含んだ応答データに含めてＭＦＰ１０へ送信する。応答データを受信したＭＦＰ１０は、応答データに含まれた内線番号を取得し、その内線番号へ自動で内線をかける構成としても良い。この構成の場合には、ＰＣ３０の操作者は、再度の読み取りが必要であるか否かを示す結果情報を伝えることができると共に、内線を使用して、画像の再度の読み取り時における注意点等を、ＭＦＰ１０の操作者へ伝えることができる。
【００７７】
また、スキャン結果取得処理のＳ３２では、応答データを送信したＰＣ３０のＩＰアドレスを取得したが、これに限らず、ＰＣ３０が１台である場合には、予め、そのＰＣ３０のＩＰアドレスをＲＡＭ１３に記憶しておき、Ｓ３２の処理をスキップすると共に、予め記憶したＩＰアドレスをＳ３６の処理で属性メモリ１３ｂに記憶する構成としても良い。
【００７８】
また、スキャン実行処理では、スキャンデータ送信回数を示すコマンドおよびスキャンデータ送信終了を示すコマンドを、ＭＦＰ１０が送信し、ＰＣ３０が利用する構成としているが、いずれか一方のコマンドのみを、ＭＦＰ１０が送信し、ＰＣ３０が利用する構成としても良い。この構成の場合には、画像通信システム１から、不要となったコマンドを使用していた構成を削減することができる。
【符号の説明】
【００７９】
１            画像通信システム
１０          ＭＦＰ（画像読取装置の一例）
１５          ＬＣＤ（表示手段の一例）
１６          スキャナ（読取生成手段の一例）
１９          ネットワークＩ／Ｆ（送信手段の一例）
３０          ＰＣ（通信装置の一例）
３５          ＬＣＤ（画像データ表示手段の一部の一例）
３７          ネットワークＩ／Ｆ（画像データ受信手段の一例）
８０          スキャン結果応答処理（作成手段の一例、評価情報送信手段の一例）
Ｓ７８：Ｎｏ  スキャン結果応答処理（指示受付手段の一部の一例）
Ｐ３          ラジオボタン（指示受付手段の一部の一例）
スキャン結果取得処理（評価情報受信手段の一例）
画像データ取得処理（画像データ表示手段の一部の一例）
スキャン結果応答処理（画像データ表示手段の一部の一例）
【図１】
2011035580.tif 000003
【図２】
2011035580.tif 000004
【図３】
2011035580.tif 000005
【図４】
2011035580.tif 000006
【図５】
2011035580.tif 000007
【図６】
2011035580.tif 000008
【図７】
2011035580.tif 000009